(57)【要約】【課題】  漏れ防止部がマスク本体と着用者の頬との隙間を無くすことで密着性が高まり、防塵性の優れたマスクを提供する。【解決手段】  不織布で構成され、少なくとも口を覆う覆い部と、  覆い部の両端部の上下端部に固定される一対の耳掛け部とを有し、  覆い部の着用者側の両端部側から中央に向かって延在するように、一側部が前記覆い部に固定された帯状体からなる漏れ防止部を設けたことを特徴とする。【選択図】図２
2015217142.tif 000002
【特許請求の範囲】
【請求項１】
不織布で構成され、少なくとも口を覆う覆い部と、
前記覆い部の両端部の上下端部に固定される一対の耳掛け部とを有し、
前記覆い部の着用者側の両端部側から中央に向かって延在するように、一側部が前記覆い部に固定された帯状体からなる漏れ防止部を設けたマスク。
【請求項２】
前記漏れ防止部は、前記覆い部の両端部側から中央に向かって延在する第一の面と、
前記第一の面の覆い部中央端部側から該覆い部の両端部側に向かって延在する第二の面と、からなる請求項１に記載のマスク。
【請求項３】
前記漏れ防止部は、前記第一の面の覆い部中央端部側で折り返され、
前記覆い部の両端部側に向かって前記第二の面が延在してなる請求項２に記載のマスク。
【請求項４】
前記漏れ防止部は、前記第一の面の短手方向の長さより、前記第二の面の短手方向の長さが短い請求項２または３に記載のマスク。
【請求項５】
前記漏れ防止部は、前記第一の面と前記第二の面が重なった状態で上端及び下端が前記覆い部に溶着され、前記第一の面の端部が前記覆い部の両端部側に溶着された請求項２乃至４のいずれかに記載のマスク。
【請求項６】
前記防止部は前記不織布を補強し、着用した状態で前記覆い部が前方に湾曲し呼吸用空間を形成した状態で着用者側に起立する請求項１に記載のマスク。
【発明の詳細な説明】
【技術分野】
【０００１】
本発明は、医療用、防塵用、防花粉用等に使用されるマスクに関するものである。
【背景技術】
【０００２】
従来から、医療用、防塵用、防花粉用等に使用されるマスクとして、着用者の鼻及び口を覆う覆い部と、マスク本体の左右両側に設けられ着用者の耳に掛けられる耳掛け部とで構成されたマスクであって、覆い部をプリーツ状に折り畳み、着用時にプリーツを上下に拡開して立体化されるようにしたマスクが提案されている。
【先行技術文献】
【特許文献】
【０００３】
【特許文献１】特開２００８−５５０３５号公報
【０００４】
特許文献１に記載のマスクは、プリーツ状に折り畳まれた覆い部と耳掛け部を備え、覆い部の左右両側に応力逃げ部を設けることで、マスク本体が前方に膨らんだ際、マスク本体の側部に生じる撓み応力を逃がすように構成される。これにより、マスク本体の形状を安定させ、マスク本体と着用者の頬との隙間を無くし、密着性を高めている。
【発明の概要】
【発明が解決しようとする課題】
【０００５】
しかしながら、特許文献１の形態では、応力逃げ部の部位については応力を逃がせるが、それでもなお、その部位以外の側部は撓み応力が生じ、隙間が生まれるため、マスク本体と着用者の頬との密着性を高めるには不十分であった。
【０００６】
また、覆い部左右に設けられた溶着部は、溶着によって、覆い部を構成する不織布等の繊維に比べて柔軟性に欠けるため、着用者の頬にあたると不快感のあるものであった。
【０００７】
本発明は、このような点に鑑みなされたもので、マスク本体と着用者の頬との隙間を無くして密着性を高め、更に簡単な製造工程で、着用者にとって肌触りの良いマスクを提供することを目的とする。
【課題を解決するための手段】
【０００８】
本発明の請求項１の発明にあっては、不織布で構成され、少なくとも口を覆う覆い部と、
覆い部の両端部の上下端部に固定される一対の耳掛け部とを有し、
覆い部の両端より延びて着用者の耳に掛けられる一対の耳掛け部とからなるマスクであって、覆い部の着用者側の両端部側から中央に向かって延在するように、一側部が前記覆い部に固定された帯状体からなる漏れ防止部を設けたことを特徴とする。
【０００９】
また、請求項２の発明にあっては、請求項１の発明において、漏れ防止部は、覆い部の両端部側から中央に向かって延在する第一の面と、第一の面の覆い部中央端部側から覆い部の両端部側に向かって延在する第二の面と、からなることを特徴とする。
【００１０】
また、請求項３の発明にあっては、請求項２の発明において、漏れ防止部は、第一の面の覆い部中央端部側で折り返され、覆い部の両端部側に向かって第二の面が延在していることを特徴とする。
【００１１】
また、請求項４の発明にあっては、請求項２または３の発明において、漏れ防止部は、第一の面の短手方向の長さより、第二の面の短手方向の長さの方が短いことを特徴とする。
【００１２】
また、請求項５の発明にあっては、請求項２から４の発明において、漏れ防止部は、第一の面と第二の面が重なった状態で上端及び下端が覆い部に溶着され、第一の面の端部が覆い部の両端部側に溶着されたことを特徴とする。
【００１３】
また、請求項６の発明にあっては、請求項１の発明において、防止部は不織布を補強し、着用した状態で覆い部が前方に湾曲し呼吸用空間を形成した状態で着用者側に起立することを特徴とする。
【発明の効果】
【００１４】
上述した本発明によれば、漏れ防止部がマスク本体と着用者の頬との隙間を無くすことで密着性が高まり、防塵性の優れたマスクとなる。
さらに、着用者にとって肌触りも良好なマスクが得られる。
また、簡単な製造工程で安価に製造することができる等の効果が得られる。
【図面の簡単な説明】
【００１５】
【図１】本発明の実施形態を示すマスクの正面図である。
【図２】本発明の実施形態を示すマスクの背面図である。
【図３】本発明の実施形態を示すマスクの断面図であり、（ａ）は覆い部の折り畳み構造を示す概略断面図、（ｂ）は覆い部の層構造を示す概略断面図である。
【図４】本発明の実施形態のマスクの使用状態を説明するための図であり、（ａ）はマスクの背面図、（ｂ）はマスクの側面図、（ｃ）はマスクの平面断面図である。
【図５】本発明の実施形態のマスクの製造工程を示す図（ａ）〜（ｄ）である。
【発明を実施するための最良の形態】
【００１６】
以下、本発明の実施形態につき、添付図面を参考にして説明する。
【００１７】
図１、図２に示すマスク本体１は、着用者の鼻や口を覆うことが可能な形状と大きさを有する覆い部２と、覆い部２の左右両側に設けられ、着用者の耳に掛けられる耳掛け部３と、覆い部２の左右両端側に設けられた漏れ防止部４とから構成される。
【００１８】
図３（ａ）に示すように、覆い部２は、プリーツ状に折り畳まれている。即ち、中央面部２ａを中心に両側に第一段面部２ｂ、２ｂと、第二段面部２ｃ、２ｃが形成されるように折り畳まれている。
【００１９】
また、図３（ｂ）に示すように、覆い部２は、ここでは表面層２ｘ、中間層２ｙ、裏面層２ｚ（着用者側）の三層構造で構成される。各層は、ポリプロピレン、ポリエチレン等の熱可塑性合成樹脂の不織布で構成されており、各層の目的に応じてスパンボンド、メルトブロー等の各種製法の不織布が使用される。なお、中間層２ｙには、抗菌性不織布が用いられる。
【００２０】
各層の目付は、本実施形態においては、表面層２ｘが３０ｇ／ｍ2、中間層２ｙが２０ｇ／ｍ2、裏面層２ｚが２０ｇ／ｍ2で構成される。尚、目付はＪＩＳ  Ｌ１０９６：織物及び編物の生地試験方法により算出した。各層の目付けは２０ｇ／ｍ2〜４０ｇ／ｍ2の範囲であることが好ましい。目付けが２０ｇ／ｍ2より低いと、剛性が得られず、４０ｇ／ｍ2より高いと、硬くなるため、良好な肌触りが得られない。
【００２１】
また、図１に示すように、覆い部２は、その周囲が溶着されることによって、三層の不織布の各層（２ｘ、２ｙ、２ｚ）が固定される。即ち、覆い部２の左右両側縁は、側部溶着部２ｄ、２ｄで溶着される。
【００２２】
また、覆い部２の上側縁および下側縁は、上下２条の溶着により、上部溶着部２ｅ、下部溶着部２ｆが形成される。
【００２３】
上述したように、プリーツ状の覆い部２の左右両側縁を側部溶着部２ｄで溶着することで、着用者がマスク本体１を着用する際、覆い部２を上下に拡開すると、プリーツが伸長してマスク本体１が前方に膨らみ、着用者の口元空間を確保できるように立体化することができる。
【００２４】
また、上下２条の上部溶着部２ｅ、２ｅの間には、可撓性プラスチック等で構成された帯状の形状保持部材５が挿入保持されており、形状保持部材５の端部付近を点溶着することで位置規制溶着部６が形成される。位置規制溶着部６によって、左右方向の動きが規制される。
【００２５】
また、本実施形態においては、図３（ａ）に示すように、覆い部２の上側縁を折り返して、その空間に形状保持部材５を挿入している。
【００２６】
図２に示すように、覆い部２の両端部側には、コ字状の点溶着部７によって、漏れ防止部４が設けられる。
【００２７】
漏れ防止部４は、本実施形態においては、一枚の帯状の不織布で構成される。漏れ防止部４は、ポリプロピレン、ポリエチレン等の熱可塑性合成樹脂の不織布で構成され、スパンボンド、メルトブロー等の各種製法が用いられる。
【００２８】
また、目付は、３０〜４０ｇ／ｍ2が好ましい。目付けが３０ｇ／ｍ2より低いと、剛性が得られないため、漏れ防止部４が立ち上がらず、４０ｇ／ｍ2より高いと、硬くなるため、肌触りが悪くなる。
【００２９】
漏れ防止部４を構成する帯状の不織布の大きさは、覆い部２の上端から下端に至る長さと、左右両端間の３分の１以下の幅を有する。漏れ防止部４は、不織布の幅方向の中間付近（折り返し部４ｃ）で折り返され、点溶着部７で固定される。
【００３０】
即ち、漏れ防止部４は、覆い部２の両端部側から覆い部２の中央に向かって延在する第一の面４ａと、第一の面４ａの覆い部２の中央側端部で折り返され、覆い部２の中央から覆い部２の端部側に向かって延在する第二の面４ｂで構成される。
【００３１】
漏れ防止部４の上端および下端は、それぞれ第一の面４ａ、第二の面４ｂが重なった状態で上端溶着部７ｂ、下端溶着部７ｃによって覆い部２に溶着、固定される。
【００３２】
また、漏れ防止部４の側端は、第一の面４ａのみが縦溶着部７ａによって覆い部２に溶着、固定される。この時、漏れ防止部４は、第一の面４ａの短手方向の長さが、第二の面４ｂの短手方向の長さより短くなるように設定される。
【００３３】
これにより、漏れ防止部４を折り返した状態で覆い部２上に設置した後、縦溶着部７ａ、上端溶着部７ｂ、下端溶着部７ｃを一度の工程で覆い部２に溶着し、固定することができる。
【００３４】
また、この時、弾性部材の紐等で構成された耳掛け部３の先端部３ａを溶着し、覆い部２に耳掛け部３を溶着、固定することができる。
【００３５】
縦溶着部７ａは、側部溶着部２ｄ上又は、側部溶着部２ｄより覆い部２の端部側に設けることが好ましい。これにより、覆い部２を構成する不織布等の繊維に比べて柔軟性に欠ける溶着部位が側部溶着部２ｄより覆い部２の中央側に設けられることを防ぐことができるため、口元付近の柔軟性の有る部分の面積を広く備えることができる。また、覆い部２の端部の補強を図ることができる。
【００３６】
次に、本発明の実施形態の着用時について説明する。
【００３７】
着用時において、覆い部２を上下に拡開すると、プリーツが伸長してマスク本体１が前方に湾曲し、着用者の呼吸用空間を確保できるように立体化することができる。この時、図４の各図に示すように、漏れ防止部４が着用者側に起立し密着する。
【００３８】
図４（ａ）に示すように、覆い部２の両端が撓み応力により前方に円弧状に変形すると、第二の面４ｂが立ち上がって、優先的に着用者の頬に接する。これにより、溶着によって柔軟性に欠ける覆い部両端が着用者に接することが無く、着用者に不快感を与えない。
【００３９】
また、図４（ｂ）に示すように、覆い部２の両端が撓み応力により前方に円弧状に変形すると、第一の面４ａと第二の面４ｂが袋状に立ち上がる。これにより、マスク本体１と着用者の頬との間の隙間を無くすことができ、密着性を高めることができる。
【００４０】
また、図４（ｃ）に示すように、第二の面４ｂが頬と面接触するため、密着性が高まり、更に着用者に不快感を与えることがない。
【００４１】
また、漏れ防止部４を折り返して第一の面４ａ、第二の面４ｂを設けたことにより、漏れ防止部４に剛性が生まれ、袋状に立ち上がった際の形状が保持される。また、第二の面４ｂの覆い部２の端部側は覆い部２に固着されておらず、マスク本体１を立体化する際に手で摘んでマスク本体１の形状を整える際に用いることができる。
【００４２】
更に、着用時においても第二の面４ｂを左右方向に引っ張ることで調節ができ、確実に密着性を高めることができる。
【００４３】
次に、本発明の実施形態の製造工程について説明する。
【００４４】
図５は上述のマスクの製造方法を段階的に説明する説明図である。図５（ａ）に示すように、単一素材の各不織布を積層してプリーツ状に折り畳み、その周囲を溶着して矩形状の覆い部２を成形した。
【００４５】
次に、図５（ｂ）に示すように、単一素材の不織布を用いた漏れ防止部４を覆い部２の両端に備え、折り返し部４ｃでそれぞれ折り返す構成とする。
【００４６】
次に、図５（ｃ）に示すように、第一の面４ａの短手方向の長さが第二の面４ｂの短手方向の長さより短くなるように漏れ防止部４を形成し、耳掛け部３の先端部３ａを第一の面４ａ上に形成する。
【００４７】
次に、図５（ｄ）に示すように、漏れ防止部４と耳掛け部３を点溶着部７で溶着し、覆い部２に固定する。
【符号の説明】
【００４８】
１                        マスク本体
２                        覆い部
２ａ                      中央面部
２ｂ                      第一段面部
２ｃ                      第二段面部
２ｄ                      側部溶着部
２ｅ                      上部溶着部
２ｆ                      下部溶着部
２ｘ                      表面層
２ｙ                      中間層
２ｚ                      裏面層
３                        耳掛け部
３ａ                      先端部
４                        漏れ防止部
４ａ                      第一の面
４ｂ                      第二の面
４ｃ                      折り返し部
５                        形状保持部材
６                        位置規制溶着部
７                        溶着部
７ａ                      縦溶着部
７ｂ                      上端溶着部
７ｃ                      下端溶着部
【図１】
2015217142.tif 000003
【図２】
2015217142.tif 000004
【図３】
2015217142.tif 000005
【図４】
2015217142.tif 000006
【図５】
2015217142.tif 000007